(57)【要約】【課題】  配線ラック立上げ部の省スペース化を図るとともに工事費を低減する。  【解決手段】  本発明のケーブル配線ラックは、水平部ラック１と、水平部ラック１とラック面が直角の位置関係にある垂直部ラック２と、水平部ラック１と垂直部ラック２とを結合する結合部材３とを備えたもので、水平部ラック１の長手方向端部と垂直部ラック２のラック面とを接触させ、結合部材３は、水平部ラック１の長手方向のラック面の端部と、垂直部ラック２のラック面の端部との交点を起点として、略扇状としかつ、水平部ラック１のラック面に対して傾斜した形状としたものである。【選択図】    図１
2005304185.tif 000002
【特許請求の範囲】
【請求項１】
水平部ラックと、前記水平部ラックとラック面が直角の位置関係にある垂直部ラックと、前記水平部ラックと前記垂直部ラックとを結合する結合部材とを備えたケーブル配線ラックにおいて、
前記水平部ラックの長手方向端部と前記垂直部ラックのラック面とを接触させ、前記結合部材は、前記水平部ラックの長手方向のラック面の端部と、前記垂直部ラックのラック面の端部との交点を起点として、略扇状としかつ、前記水平部ラックのラック面に対して傾斜した形状としたことを特徴とするケーブル配線ラック。
【発明の詳細な説明】
【技術分野】
【０００１】
本発明は、プラント設備等の狭い配線エリアで、上部に配線する場合の配線ラック立上げ部の省スペース化を図った配線ラックに関する。  
【背景技術】
【０００２】
図６は従来のケーブル配線ラックを示す平面図、図７はＤ−Ｄ線方向から見た側面図、図８はＥ−Ｅ線方向から見た側面図である。図において、１は水平部ラック、２は垂直部ラック、３は結合部材、４は接続金具である。水平部ラック１は水平部に用いるラック、垂直部ラック２は立上げに用いるラックである。結合部材３は水平部ラック１と垂直部ラック２とを結合している部材であり、接続金具４により固定されている。垂直部ラック２の立上げの詳細を図９に、Ｆ−Ｆ線方向から見た断面図を図１０にそれぞれ示す。図において、５は配線トンネル、６は配線ラック立上げスペースである。配線トンネル５は配線ラックが上下方向に数段走っている地下部分である。
つぎに、従来のケーブル配線ラックの動作について説明する。
まず、水平部ラック１と結合部材３、結合部材３と垂直部ラックとを結合するための位置合せをする。つぎに、水平部ラック１と結合部材３を接続金具４で固定する。さらに、結合部材３と水平部ラック１とラック面が直角の位置関係にある垂直部ラック２を接続金具４で固定する。垂直部ラック２の立上げを配線トンネル５の下段ラックを使用し、地上に立上げる場合、図９および図１０に示すように配線トンネル５から外れた場所に大きな配線ラック立上げスペース６が必要となる。ラックの設置が全て完了したら、ケーブルの布設を行う。
また、ケーブルラックとして、ケーブル載置幅を変更自在な構造としたものもある（例えば、特許文献１）。
【特許文献１】実開平６ ― ６０２３３号公報
【発明の開示】
【発明が解決しようとする課題】
【０００３】
しかしながら、従来の水平部ラックと垂直部ラックとを結合部材で結合する方法で配線トンネルの下段ラックで使用し地上に立上げようとした場合、図９および図１０に示すように、配線トンネル上から外れた場所に別途配線ラック立上げのためのスペースが必要となり工事費及び配線スペースが増加する。
本発明はこのような問題点に鑑みてなされたものであり、配線ラック立上げ部の省スペース化を図るとともに工事費を低減することを目的とする。
【課題を解決するための手段】
【０００４】
上記問題を解決するため、本発明は、次のように構成したものである。
水平部ラックと、前記水平部ラックとラック面が直角の位置関係にある垂直部ラックと、前記水平部ラックと前記垂直部ラックとを結合する結合部材とを備えたケ−ブル配線ラックにおいて、前記水平部ラックの長手方向端部と前記垂直部のラック面とを接触させ、前記結合部材は、前記水平ラックの長手方向のラック面の端部と、前記垂直部ラックのラック面の端部との交点を起点として、略扇状としかつ、前記水平部ラックのラック面に対して傾斜した形状としたものである。
【発明の効果】
【０００５】
請求項１に記載の発明によれば、配線ラック立上げ部の省スペース化を図ることができ、工事費を低減することができる。
また、配線ラック立上げ部のスペースが小さくできたので、配線トンネルの真上に配線ラックを立上げることができ、配線トンネル内のラックの状況確認が容易にできる。
【発明を実施するための最良の形態】
【０００６】
以下、本発明の実施の形態について図に基づいて説明する。
図１は、本発明のケーブル配線ラックを示す平面図、図２はのＡ−Ａ線方向から見た側面図、図３はのＢ−Ｂ線方向から見た側面図である。  図において、１は水平部ラック、２は垂直部ラック、３は結合部材、４は接続金具である。結合部材３は、水平部ラック１の長手方向のラック面の端部と、垂直部ラック２のラック面の端部との交点を起点として、略扇状としかつ、水平部ラック１のラック面に対して傾斜した形状となっている。垂直部ラック２は水平部ラック１と結合部材３で結合されるものである。垂直部ラックの立上げの詳細を図４に、Ｃ−Ｃ線方向から見た断面図を図５に示す。
図において、５は配線トンネル、６は配線ラック立上げスペースである。つぎに、本発明のケーブル配線ラックの動作について説明する。
まず、水平部ラック１と結合部材３、結合部材３と垂直部ラック２とを結合するための位置合せをする。つぎに、水平部ラック１と結合部材３を接続金具４で固定する。さらに、結合部材３と垂直部ラック２を接続金具４で固定する。垂直部ラック２の立上げを配線トンネル５の下段ラックを使用し、地上に立上げる場合図４および図５に示すように配線トンネル５の真上に配線ラックを立上げる。ラックの設置が全て完了したら、ケーブルの布設を行う。
なお、結合部材３の傾斜部のケーブルの布設は、勾配が緩やかな部分については動力線等の太いケーブルを、勾配が急で水平より直ちに垂直に立上がるような部分については、信号線等の細いケーブルを布設する。
このように、水平部ラック１と垂直部ラック２とを結合する結合部材３の形状を略扇状とし傾斜させ配線ラック立上げスペース６を小さくしたので、配線ラック立上げ部が小さくできるという効果がある。
また、配線ラック立上げ部の配線スペースが小さくなるので、従来のような別途に大きなスペースが不要となり配線トンネル５の真上に配線ラックを立上げることができるので配線トンネル内のラックの状況確認が地上から容易にできるという効果がある。
【図面の簡単な説明】
【０００７】
【図１】本発明のケーブル配線ラックを示す平面図
【図２】図１のＡ−Ａ線方向から見た側面図
【図３】図１のＢ−Ｂ線方向から見た側面図
【図４】図１の垂直部ラックの立上げを示す詳細図
【図５】図４のＣ−Ｃ線方向から見た断面図
【図６】従来のケーブル配線ラック示す平面図
【図７】図６のＤ−Ｄ線方向から見た側面図
【図８】図６のＥ−Ｅ線方向から見た側面図
【図９】図６の垂直部ラックの立上げを示す詳細図
【図１０】図９のＦ−Ｆ線方向から見た断面図
【符号の説明】
【０００８】
１ 水平部ラック
２ 垂直部ラック
３ 結合部材
４ 接続金具
５ 配線トンネル
６ 配線ラック立上げスペース
【図１】
2005304185.tif 000003
【図２】
2005304185.tif 000004
【図３】
2005304185.tif 000005
【図４】
2005304185.tif 000006
【図５】
2005304185.tif 000007
【図６】
2005304185.tif 000008
【図７】
2005304185.tif 000009
【図８】
2005304185.tif 000010
【図９】
2005304185.tif 000011
【図１０】
2005304185.tif 000012